(57)【要約】【課題】スクイズローラの耐久性が向上し、高画質の画像が得られる。【解決手段】露光台２０１の上に記録材料を吸引し、その記録材料の上に原稿を載せ、更にそれらをカバーシート２７５で覆い、露光台２０１の周囲より空気を吸引すると同時に、カバーシート２７５の上をスクイズローラ２７６でしごくことで記録材料と原稿を密着させ、露光して画像を書き込む画像記録装置において、スクイズローラ２７６は、支持軸２７６ａと、この支持軸２７６ａに挿着したスポンジのローラ部２７６ｂとからなり、ローラ部２７６ｂは、円周部２７６ｂ１と、この円周部２７６ｂ１の両端側部２７６ｂ２とにコーティング２７６ｃ１，２７６ｃ２を施している。【選択図】図３
2004271730.tif 000002
【特許請求の範囲】
【請求項１】
露光台の上に記録材料を吸引し、その記録材料の上に原稿を載せ、更にそれらをカバーシートで覆い、前記露光台の周囲より空気を吸引すると同時に、前記カバーシートの上をスクイズローラでしごくことで前記記録材料と前記原稿を密着させ、露光して画像を書き込む画像記録装置において、
前記スクイズローラは、支持軸と、この支持軸に挿着したスポンジのローラ部とからなり、
前記ローラ部は、円周部と、この円周部の両端側部とにコーティングを施したことを特徴とする画像記録装置。
【請求項２】
回転するドラムの外周面上に記録材料を吸引し、スクイズローラでしごくことで前記記録材料を密着させ、画像を書き込む画像記録装置において、
前記スクイズローラは、支持軸と、この支持軸の軸孔に挿着したスポンジのローラ部とからなり、
前記ローラ部は、円周部と、この円周部の両端側部とにコーティングを施したことを特徴とする画像記録装置。
【請求項３】
前記ローラ部は、長尺の軸孔を有するスポンジローラ素材を所定長さに切断し、この所定長さのスポンジローラ素材の軸孔を塞いで前記円周部と、この円周部の両端側部とにコーティングを施したことを特徴とする請求項１または請求項２に記載の画像記録装置。
【請求項４】
前記ローラ部は、複数の分割ローラ部を軸方向に合わせてなり、前記複数の分割ローラ部の円周部と、前記両側に位置する前記分割ローラ部の円周部の少なくとも外端側部とにコーティングを施したことを特徴とする請求項１乃至請求項３のいずれか１項に記載の画像記録装置。
【発明の詳細な説明】
【０００１】
【発明の属する技術分野】
この発明は、記録材料に画像を書き込む画像記録装置に関する。
【０００２】
【従来の技術】
例えば、画像記録装置としてカラー検版機があり、このカラー検版機としては各種プルーフ作成装置等が市販されていてこれによってカラープルーフを作成し、それを観察して各印刷版の原色別原稿フィルムが正しくレイアウトされているか、所定の色に仕上げられるようになっているかどうかが、正式の印刷版を作り上げる前に簡単で迅速に判断できるように、また、誤りが発見されれば直ちに修正ができるようにしてある。
【０００３】
これは、記録材料としてロールのカラーペーパーを用い、その必要長さを送り出して切断してシートにしたものを露光台上の所定位置に搬送し、露光台上に吸着固定し、別に設けた位置決め装置によって位置決めされた原稿を露光台上のカラーペーパー上に合体して密着させ、その上を螢光灯を光源とした露光部の露光光をスキャンさせて密着露光をし、それを現像処理してカラープルーフが仕上るようにしてある（例えば特許文献１）。
【０００４】
また、近年ではＤｅｓｋ  Ｔｏｐ  Ｐｕｂｌｉｓｈｉｎｇ等の普及により、スキャナから入力した画像を、ＣＰＵ上で画像編集、ページ面付けする作業が一般化し、フルデジタルでの編集も珍しくなくなってきている。このような工程では、回転するドラムの外周面上に記録材料を吸引し、スクイズローラでしごくことで記録材料を密着させ、画像書込手段により画像を書き込むものがある（例えば特許文献２）。
【０００５】
【特許文献１】
特開平８−２７８５６２号公報（第１〜第１２頁、図１〜図３）
【０００６】
【特許文献２】
特開２０００−３４７３０４号公報（第１〜第３０頁、図５）
【０００７】
【発明が解決しようとする課題】
このように、スクイズローラでしごくことで記録材料を吸引力で密着させており、耐久性が要求されるが、従来のスクイズローラのローラ部の両端部は切断したままのため、スクイズローラによるしごきや吸引力の圧力で経年劣化し耐久性が劣っていた。
【０００８】
この発明は、このような欠点を排除し、スクイズローラの耐久性が向上し、高画質の画像が得られる画像記録装置を提供することを目的とする。
【０００９】
【発明が解決しようとする課題】
前記課題を解決し、かつ目的を達成するために、この発明は、以下のように構成した。
【００１０】
請求項１に記載の発明は、露光台の上に記録材料を吸引し、その記録材料の上に原稿を載せ、更にそれらをカバーシートで覆い、前記露光台の周囲より空気を吸引すると同時に、前記カバーシートの上をスクイズローラでしごくことで前記記録材料と前記原稿を密着させ、露光して画像を書き込む画像記録装置において、
前記スクイズローラは、支持軸と、この支持軸に挿着したスポンジのローラ部とからなり、
前記ローラ部は、円周部と、この円周部の両端側部とにコーティングを施したことを特徴とする画像記録装置である。
【００１１】
この請求項１に記載の発明によれば、スクイズローラはスポンジのローラ部を有し、このローラ部は、円周部と、この円周部の両端側部とにコーティングを施したから、スクイズローラによるしごきや吸引力の圧力で経年劣化することを防止しでき、スクイズローラの耐久性が向上し、高画質の画像が得られる。
【００１２】
請求項２に記載の発明は、回転するドラムの外周面上に記録材料を吸引し、スクイズローラでしごくことで前記記録材料を密着させ、画像を書き込む画像記録装置において、
前記スクイズローラは、支持軸と、この支持軸の軸孔に挿着したスポンジのローラ部とからなり、
前記ローラ部は、円周部と、この円周部の両端側部とにコーティングを施したことを特徴とする画像記録装置である。
【００１３】
この請求項２に記載の発明によれば、スクイズローラはスポンジのローラ部を有し、このローラ部は、円周部と、この円周部の両端側部とにコーティングを施したから、スクイズローラによるしごきや吸引力の圧力で経年劣化することを防止しでき、スクイズローラの耐久性が向上し、高画質の画像が得られる。
【００１４】
請求項３に記載の発明は、前記ローラ部は、長尺の軸孔を有するスポンジローラ素材を所定長さに切断し、この所定長さのスポンジローラ素材の軸孔を塞いで前記円周部と、この円周部の両端側部とにコーティングを施したことを特徴とする請求項１または請求項２に記載の画像記録装置である。
【００１５】
この請求項３に記載の発明によれば、ローラ部はスポンジローラ素材を所定長さに切断し、この所定長さのスポンジローラ素材の軸孔を塞いで円周部と、この円周部の両端側部とにコーティングを施すことで、耐久性を有するローラ部を簡単に形成することができる。
【００１６】
請求項４に記載の発明は、前記ローラ部は、複数の分割ローラ部を軸方向に合わせてなり、前記複数の分割ローラ部の円周部と、前記両側に位置する前記分割ローラ部の円周部の少なくとも外端側部とにコーティングを施したことを特徴とする請求項１乃至請求項３のいずれか１項に記載の画像記録装置である。
【００１７】
この請求項４に記載の発明によれば、ローラ部が複数の分割ローラ部を軸方向に合わせてなるものでも、スクイズローラによるしごきや吸引力の圧力で経年劣化することを防止しでき、スクイズローラの耐久性が向上し、高画質の画像が得られる。
【００１８】
【発明の実施の形態】
以下、この発明の画像記録装置の形態が組み込まれたカラープルーフ作成装置を説明するが、この発明は、この実施の形態に限定されない。図１はカラープルーフ作成装置の正面図、図２はカラープルーフ作成装置の側面図、図３はスクイズローラの側面図、図４はスクイズローラの断面図、図５はスクイズローラの形成工程を示す図である。
【００１９】
カラープルーフ作成装置は、イエロー（Ｙ）版、マゼンタ（Ｍ）版、シアン（Ｃ）版及び墨（ＢＫ）版に色分解された原稿の各分解網原稿フィルムを使って本番の印刷版を作成する前に原稿フィルムのレイアウトに間違いがないか、色間違いがないか、文字の誤りがないか等を検査し、印刷物の仕上りを事前に確認するための校正物（カラープルーフ）を得るための装置で、分解網原稿フィルムを一枚ないしは複数枚を位置決めして記録材料のカラー感光材料に重ねて原稿フィルムに応じた分色光で順次密着露光してカラー感光材料を用いた校正物（カラープルーフ）を作成することにより、分解網原稿の誤りを発見すると共に印刷仕上りを事前に確認し、分解網原稿修正の戻し作業がとれるようにしたものである。
【００２０】
その装置本体部１００は脚部１０２に支えられた本体フレーム１０１の上側に原稿位置決めピンバー（レジストレーションピン）１４３を設置するための原稿台１４０を有し、その上部に第１室として暗室形成を可能にした遮光カバー１２０が蝶番１２１とガスダンパー１２２により開閉可能に設けられている。
【００２１】
第１室に原稿台の密着露光面を走査露光する露光部３００が設けられている。露光部３００の中心部には管状光源ランプ３０２が設けられ、そしてその外側に多角筒３０１が各筒面にブルー（Ｂ），グリーン（Ｇ），レッド（Ｒ），グレー（ＮＤ）特色等のフィルタを配して回転可能に設けられている。
【００２２】
露光部３００はレール３１７Ａ，３１７Ｂ上を走査のための走行可能にしてある。その往復動の駆動は、チェーンスプロケット３２１，３２２に巻回されたローラチェーン３２４に露光部３００の筐体がピンで結合されることにより行われる。
【００２３】
露光部３００にはスクイズローラ２７６を有するスクイズ手段が組み込まれているがこれについての構造や機能は後程詳細に説明する。
【００２４】
本体フレーム１０１の内部には第２室として載置部２００が設けられている。そして露光台２０１は、図示していないがモータにより駆動されて上下に移動可能にしてある。
【００２５】
一方、遮光幕２４０は両側に対称に走行するローラチェーン２４６のリンクアタッチメント２４７に両持ちで保持され等間隔に設けられたロッド２４９の上に載置されており、遮光幕２４０の前端、後端がそれぞれロッド２４９の先頭ロッド及び後尾ロッドに固接されている。
【００２６】
遮光幕２４０が沢山のロッド２４９に保持された状態で開口部１４４を遮閉することになる。そしてスプロケット２４１，２４２Ａ，２４３，２４４にかけられて図示していないモータで駆動されるローラチェーン２４６を往復走行させることにより露光台２０１が原稿台１４０に嵌入するときの窓（開口部）１４４を開放したり閉じたりすることが可能になる。このような遮光幕２４０は、第１室と第２室の境界域を走行することによって露光台２０１の収納された第２室の第１室に対する光密の形成及び解放を切り換えられるように設けられている。
【００２７】
銀塩カラー感光材料の長尺ロール４０２はマガジン４０１に装填されて感材装填部４００を形成し、感光材料長尺ロールの先頭部は挟持ローラ５１１により送り出され、先端部はカッタ部５１０の所に揃えられて待機する。
【００２８】
カッタ位置にあった感光材料先端は更に挟持ローラ５１１で吸盤吸着台５２７の左端まで送り込まれ吸着盤５２３にて先端部が吸着され、吸盤を有する走行ヘッド５２２がそのローラ５２５，５２６を両側の走行レール５２１にガイドされ感光材料の所定長さが計尺される位置まで移動して停止し、カッタ部５１０で切断され、更に載置台２０１の所定位置に感光材料の先端が位置するように移動し、その後カッタ部５１０が原点位置に戻される。そして走行ヘッド５２２の吸盤のサクションをきった上で、走行ヘッド５２２も元の位置に戻る。
【００２９】
ここで走行ヘッド５２２はブラケット５３４を介して両側にソレノイド５３５が取り付けられ、その可動鉄心５３６にフレーム５３１が固設され、走行ヘッド５２２、フレーム５３１にホース５２４に結合された吸着盤５２３が取り付けられ吸着盤５２３の保持パイプ５３７は、走行ヘッド５２２及びフレーム５３１にあけられたガイド孔に貫通して設けられ、フレーム５３１にはスラスト方向を固定され、走行ヘッド５２２には前記孔に沿ってスライド可能に設置され、走行ヘッド５２２とフレーム５３１の間に入れられたつる巻きばね５３２を介して露光台面から浮上っている。
【００３０】
このようにして露光台２０１上に感光材料が搬送されて載置されるとフレキシブルホース２０５を介してブロア２０４Ａの駆動により、露光台２０１上にあけられたサクション孔にサクション圧がかかり、感光材料は露光台２０１上に密着固定される。
【００３１】
透明のカバーシート２７５のセットの状態で遮光カバー１２０を閉じると、カバーシート２７５は両端が原稿台面よりやや低い位置にしてあるので、必然的に原稿網フィルム及び感光材料の載置してある原稿台及び露光台面にカバーシート２７５が押しつけられるようになる。
【００３２】
そして、この状態でスクイズローラ２７６がスクイズしてカバーシート２７５と原稿台との間の空気を減圧用ブロワー又は真空ポンプで抜くことにより高度の密着平面状態を確保できる。
【００３３】
スクイズローラ２７６は露光部３００に設けられている。遮光カバー１２０がかぶせられると露光部３００が前送り空スクイズの往動（往動にはスクイズも行わず露光もせず）し、復動のときスクイズを開始する。次の往復動作の往動には、前送り空スクイズ動作を行い、復動の時に、スクイズローラ２７６をその自重で透明カバーシート２７５上に押し付けてスクイズすると共に走査露光を完了する。
【００３４】
また、スクィーズローラ２７６を前記の重ねシート面に落として自重で押圧接触させ、スクイズを開始することになる。
【００３５】
スクイズローラ２７６は、図３及び図４に示すように、支持軸２７６ａと、この支持軸２７６ａに挿着した例えばウレタンゴム等のスポンジのローラ部２７６ｂとからなる。ローラ部２７６ｂは、円周部２７６ｂ１と、この円周部２７６ｂ１の両端側部２７６ｂ２とに合成ゴムによるコーティング２７６ｃ１，２７６ｃ２を施している。コーティング２７６ｃ１，２７６ｃ２の膜厚が、２μｍ〜２０μｍであることが好ましい。
【００３６】
このローラ部２７６ｂは、図５に示すように、スポンジローラ素材Ａを所定長さに切断し（図５（ａ））、この所定長さのスポンジローラ素材Ａの軸孔Ａ１に吊り下げ金具Ｂを挿入して塞ぎ（図５（ｂ））、コーティング槽Ｄに浸漬して円周部と、この円周部の両端側部とにコーティングを施し（図５（ｃ））、乾燥室Ｅに入れて乾燥する（図５（ｄ））。
【００３７】
コーティング方法は、種々の方法があり、図５（ｅ）に示すように、スポンジローラ素材Ａの軸孔Ａ１を栓Ｆで塞ぎ、一方の端部に針金Ｇを引っ掛けてコーティング槽Ｄに浸漬するようにしてもよく、ローラ部２７６ｂはスポンジローラ素材Ａを所定長さに切断し、この所定長さのスポンジローラ素材Ａの軸孔Ａ１を塞いで円周部２７６ｂ１と、この円周部２７６ｂ１の両端側部２７６ｂ２とにコーティングを施すことで、簡単に耐久性を有するローラ部２７６ｂを形成することができる。
【００３８】
このように、スクイズローラ２７６はスポンジのローラ部２７６ｂを有し、このローラ部２７６ｂは、円周部２７６ｂ１と、この円周部２７６ｂ１の両端側部２７６ｂ２とにコーティング２７６ｃ１，２７６ｃ２を施したから、スクイズローラ２７６によるしごきを円周部２７６ｂ１のコーティング２７６ｃ１によって防止でき、またこの吸引時のサクション圧をコーティング２７６ｃ１，２７６ｃ２で防止でき、スクイズローラ２７６の耐久性が向上し、高画質の画像が得られる。
【００３９】
また、スクイズローラ２７６に導電性スポンジを用いてアース処理を施すことで、原稿フィルムへの除電効果が生まれ、フィルムの張り付きが防止できフィルムへのゴミ付着防止及び位置精度の向上の効果が得られる。
【００４０】
更に、スクイズローラ２７６の走行方向前側にノズルを設け、イオンエアーをカバーシートや原稿フィルムに吹き付けることによりフィルムへの除電効果やゴミの吹きとばし効果によるゴミの付着防止とエアーによるスクイズ効果が発揮できる。そして、原稿のフィルムの位置精度が向上し、スクイズローラ２７６の耐久性も向上する。
【００４１】
そしてこの状態でスクイズとサクションと露光を行うため、先ず露光部３００がガイドレール３１７Ａ，３１７Ｂ上を走行して往動時に空スクイズをし、復動時にスクイズを行う第１回目の往復動（本往復動は、走査露光する前に１〜３回実施するのが望ましい）をした後、続いて次の第２回目の往復動の往動時にサクションを開始し、復動のとき往動時のサクションを続けながらスクイズをすると共に走査露光を行い、１回目のフィルタによる色露光を終了する。
【００４２】
このように露光部３００の２往復または３〜往復によって１つの走査露光を完了することができる。次に２回目の別の色のフィルタによる像露光を行うため、露光台２０１を遮光幕の走行経路のやや下まで下降させここでノズルによってエアを吹き込むか、ブロア２０６を吹き出し側に切り換え、ホース２０７から空気を吹き込み更に遮光幕を閉じるようにすると原稿と感光材料は簡単に完全に分離される。このブロアの吹き込みと、露光台２０１の下降の順序は逆でもよく同時でもよい。そして遮光カバー１２０をあけると第１室は明室の状態になるが第２室は第１室に対して光密で暗室が形成されていることになる。
【００４３】
それとともに遮光カバー１２０に一端が止められた透明カバーシート２７５は遮光カバーを開くとともに斜め上方に持ち上げられ必然的に次の原稿フィルムが容易に装填できる状態になる。
【００４４】
この状態で第２の原稿（墨版及びＹ，Ｍ，Ｃの１つ例えばＭ版、もしくはＹ，Ｍ，Ｃ，墨版のいずれか１つ、もしくはこれらのうちの複数枚）をレジストレーションピンにセットし、遮光カバーをかぶせたのち、遮光幕を開き露光台２０１を原稿台面に上昇させると透明カバーシートは自動的に再びかぶせられそこで露光部３００にとりつけられたスクイズローラ２７６を露光部と共に往復動のとき往動はローラをあげた空スクイズであるが、復動においてスクイズしながらサクションをかけて、各シートの密着を行うと共に多角筒３０１をまわして、別のフィルタに設けた筒面を対向させ第２の色フィルタによる露光部移動による走査密着露光を行い第２回目の露光を終了する。
【００４５】
同様に第３番目の原稿（墨版及びＹ，Ｍ，Ｃの１つ例えばＣ版、もしくはＹ，Ｍ，Ｃ，墨版のいずれか１つ、もしくはこれらのうち複数枚）とそれに対応するフィルタによる露光も同じ手順で行い第３回目の露光を完了する。このようにして必要に応じ、１回から数回の露光をくり返し行なう。
【００４６】
そして最後に露光台２０１を最下部まで下降させ、感光材料の密着状態をサクションを解除して解放し、挟持ローラ５５２に該感光材料の先端を吸着盤５２３の走行により送り込む。
【００４７】
この密着状態のサクションを解放するとき、サクションブロア２０４Ａを止めただけでは負圧が残ったままの状態が続き、吸着盤５２３による挟持ローラ５５２への迅速な送り込みができない状態となる。
【００４８】
挟持ローラ５５２に、先端が到達した感光材料は左方の現像処理部６００に送り込まれる。そして内部潜像型ダイレクトポジ感材を使用する場合には、発色現像槽６０１の中を搬送中、第２露光部３５０によってかぶり露光がかけられるようにしてある。そして漂白定着槽、安定化槽を通過し、乾燥部６８０で搬送されながら乾燥されて装置の左端で現像処理済みの感光材料が回収される。
【００４９】
感光材料は内部潜像型ダイレクトポジを使うときは第２露光が必要であるが、ネガカラーの感光材料及び化学カブリ型ダイレクトポジ感光材料を用いるときは第２露光は必要でなく、消灯したままにする。またその他の染料漂白型カラー感光材料、カラーリバーサル、拡散転写等の感光材料を使用する場合には各々これらに適した処理浴をもうける事により、同様なシステムで露光現像処理することが可能である。
【００５０】
勿論、ダイレクトポジ感光材料に対しての露光については、各Ｙ版，Ｍ版，Ｃ版の原稿に対しそれぞれ墨版を重ねてＹ版と墨版にはＢ，Ｍ版と墨版にはＧ，Ｃ版と墨版にはＲのフィルタを対応させて３回露光するか、又は、Ｙ版，Ｍ版，Ｃ版，墨版それぞれに対応したフィルタを用い露光するのであるが、通常のネガカラー感光材料に対しての露光については、該感光材料に各Ｙ版，Ｍ版，Ｃ版の原稿を単独で重ねてＹ版にはＢ，Ｍ版にはＧ，Ｃ版にはＲのフィルタを重ねて３回露光し、更に４回目に墨版を重ねてＮＤフィルタ、必要ならば色補正の為の色フィルタを対応させて露光するかＢ，Ｇ，Ｒの３重露光を行う。
【００５１】
さらに必要ならば、上記各分色露光の他に異なった色分解に相等する光を用いてさらに露光を加える事によって印刷インキに適合した基本色を出す様にしてもよい。またあらかじめ異なった色分解に相等する光をブレンドする為、ＢＧＲの発色光をブレンドしたり、フィルタを組み合せて露光する等の処理を行なってもよい。同様に一般に特色といわれるＹ，Ｍ，Ｃ，墨の標準インキ以外の専用インキに適合した色を再現する為、繰り返し露光、もしくは発色光のブレンド、もしくはフィルタの組み合せ等を行なってもよい。この際は場合により、特色版と呼ばれる分解網フィルムを用いたり、他のフィルムと特色用分解網フィルムとを組み合せたりする事が必要であり、他の分解網フィルムも場合により数枚重ねた状態で密着焼付けを行う必要がある。
【００５２】
以上の実施例は密着型の露光装置について述べたものであるが、この発明は密着型に限らず投影型の露光装置にも勿論適用可能である。
【００５３】
即ち、露光台２０１上には感光材料のみを載置吸着固定し、原稿フィルムは密着型のように感光材料上に重ねることなく、別の原稿台上に固定してその原稿画面を投影レンズを介して露光台２０１上の感光材料面に結像させる方式のものである。
【００５４】
図６はスクイズローラの他の実施の形態の側面図である。この実施の形態のスクイズローラ２７６は、ローラ部２７６ｂが複数の分割ローラ部２７６ｂ２１を軸方向に合わせてなり、複数の分割ローラ部２７６ｂ２１の円周部２７６ｂ２１１と、両側に位置する分割ローラ部２７６ｂ２１の円周部２７６ｂ２１１の少なくとも外端側部２７６ｂ２１２とにコーティングを施している。このように、ローラ部２７６ｂが複数の分割ローラ部２７６ｂ２１を軸方向に合わせてなるものでも、スクイズローラ２７６によるしごきや吸引力の圧力で経年劣化することを防止しでき、スクイズローラ２７６の耐久性が向上し、高画質の画像が得られる。
【００５５】
次に、この発明の画像記録装置の他の実施の形態について説明する。この実施の形態の画像記録装置を適用したカラープルーフ作成装置は、図７乃至図９に示すように構成される。図７はカラープルーフ作成装置の概略構成図、図８は露光装置の概略構成を示す正面図、図９は露光装置の概略構成を示す平面図である。
【００５６】
カラープルーフ作成装置１の装置本体２には、露光ユニット３及び現像処理ユニット４が備えられている。露光ユニット３の上部には、現像部側にセット部７が配置される。セット部７には、記録材料遮光用カバー９が開閉可能に設けられ、記録材料遮光用カバー９によりロール状の感光材料またはペーパー等の記録材料を収納した一対の記録材料装填用マガジン１０がセット可能である。
【００５７】
現像処理ユニット４の側部には排紙部１５が設けられ、処理された感光材料が排紙部１５に排出される。
【００５８】
露光ユニット３には、給紙部２０、主走査部３０、副走査部４０及びアキュームレータ部６０が備えられている。給紙部２０には、搬送ローラ対２１、カッター部２２及び回転ローラ２３が記録材料装填用マガジン１０に対応して配置されている。記録材料装填用マガジン１０に対応して配置された搬送ローラ対２１により記録材料を引き出して、カッター部２２で所定の長さに切断し、回転ローラ２３を介して主走査部３０へ送るようになっている。
【００５９】
主走査部３０及び副走査部４０が記録材料に画像を記録する露光部５００を構成し、主走査部３０には、円筒を構成するドラム３１が回転可能に設けられ、記録材料がドラム３１の外表面に吸着されて一体に回転する。ドラム３１に対向して光学ユニット３２が配置され、光学ユニット３２は副走査部４０によりドラム軸と平行に移動可能になっている。光学ユニット３２は、デジタル画像信号を受けてドラム３１に吸着された記録材料にレーザービームで露光して画像の書き込みを行い、画像書込手段８００を構成している。
【００６０】
アキュームレータ部６０は、露光部５００から露光された記録材料を現像処理する現像処理ユニット４に備えられるプロセッサ部８２０へ受け渡すために、記録材料を一時停留させる。このアキュームレータ部６０は、書き込みが終了した記録材料をドラム３１から剥離してプロセッサ部８２０へ送り込む。このとき、プロセッサ部８２０の搬送速度の方が露光部５００の排紙速度より遅い場合は、排紙速度が高速のままアキュームレータ部６０に送り込み、記録材料をアキュームレータ部６０に垂れ下がるようにしてアキュームさせ、プロセッサ部８２０との搬送タイミングを合わせ、露光部５００の処理能力を落とさないようにしている。
【００６１】
現像処理ユニット４のプロセッサ部８２０には、第２露光部４１（以下、反転露光ダイレクトポジ感材の例で記載する）、現像部４２、定着部４３、安定部４４及び乾燥部４５が備えられている。第２露光部４１により露光部５００で露光されなかった部分の記録材料が疑似画像を形成し、第２露光された記録材料は、現像部４２、定着部４３及び安定部４４へ搬送して現像処理され、この処理された記録材料は乾燥部４５で乾燥して排紙部１５へ送出される。
【００６２】
次に、露光装置の構成を詳細に説明する。
【００６３】
セット部７には、記録材料装填用マガジン１０が記録材料の先端を所定長さ引き出した状態で、給紙部２０の搬送ローラ対２１のローラ２１ａ，２１ｂの間の位置にセットされる。いずれかの記録材料装填用マガジン１０から記録材料が供給される搬送中は、ローラ２１ｂを搬送位置に移動させて記録材料を対向するローラ２１ａ，２１ｂとの間で圧着する。それぞれのカッター部２２とスクイズローラ２５との間には、基準センサＳ１、回転ローラ２３及びガイド２６がそれぞれ設けられている。このスクイズローラ２５は、図３乃至図５の実施の形態と同様に構成されるから説明を省略する。また、この発明のスクイズローラ２５ａは、スクイズローラ２５の後段に、圧着配置しても良い。この場合、スクイズローラ２５は硬度２０〜８０度のゴムローラが望ましい。
【００６４】
スクイズローラ２５は、基準センサＳ１が記録材料Ｐの先端部Ｐａを検出し、この先端部Ｐａの検出から記録材料Ｐの搬送により回転して記録材料Ｐの送り量を検出し、所定の長さでカッター部２２を作動して記録材料Ｐを切断する。カッター部２２の後段には、シャッター２７が配置され、記録材料Ｐの搬送路の遮光とゴミ等の進入を防止する。ローラ２１ａ，２１ｂの前段には、記録材料Ｐの終端部Ｐｂを検出する後端検出センサＳ２が配置されている。
【００６５】
主走査部３０のドラム３１の両端の軸部３１ａ，３１ｂは、軸受３３ａ，３３ｂを介して支持台３４ａ，３４ｂに回転可能に軸支されている。ドラム３１の一方の軸部３１ａには、駆動プーリ３５ａが設けられ、この駆動プーリ３５ａはドラム回転モータＭ６の出力プーリ３５ｂとベルト３６により連結され、回転手段９００を構成するドラム回転モータＭ６の駆動によりドラム３１が回転する。また、ドラム３１の他方の軸部３１ｂには、ロータリーエンコーダ３７が設けられ、回転パルスを出力してドラム回転に同期した画素クロック制御に用いる。
【００６６】
ドラム３１の一方の軸部３１ａは、空気吸引手段８１０を構成する吸引ブロアに連結されている。ドラム３１は中空体で形成され、表面には貫通孔３ｌｃが形成され、空気吸引手段８１０の駆動によりドラム３１の内部が減圧されて記録材料がドラム３１の表面に吸着される。
【００６７】
光学ユニット３２には、ＬＤまたはＬＥＤ等の光源が、各波長相当に対応して複数あり、例えばドラム３１上の記録材料に画像を露光する画像書込手段８００が構成される。
【００６８】
光学ユニット３２は、移動手段７００によりドラム軸方向に移動可能になっている。移動手段７００は、光学ユニット３２の移動をガイドするガイド部材３４１，３４２と、光学ユニット３２を移動する回転可能なボールネジ３４０とを有し、このボールネジ３４０は駆動モータＭ７により回転される。駆動モータＭ７はモータ軸３４３を有し、モータ軸出力側にカップリング３４４を介してボールネジ３４０の一端部が設けられ、駆動モータＭ７のモータ軸非出力側に重り３４５が設けられている。
【００６９】
この重り３４５は、円筒状に形成されているが、これに限定されず、三角筒状、四角筒状などであってもよく、駆動モータＭ７のロータ慣性モーメントを擬似的に増加させており、振動に影響がある共振周波数ｆを変化することができ、簡単な構造で、ボールネジ３４０の振動を抑えることが可能である。
【００７０】
駆動モータＭ７の駆動により、カップリング３４４を介してボールネジ３４０が正回転、または逆回転して光学ユニット３２がドラム軸と平行に移動する。
【００７１】
この露光部５００からプロセッサ部８２０へ受け渡すために、記録材料を一時停留させるアキュームレータ部６０は、ドラム３１に吸引された記録材料を剥離する剥離ガイド６１、搬送ガイド６２、アキュームレータ部６０におけるプロセッサ部８２０のシート入口側に配された排出ローラ６４とを有し、ドラム３１に巻かれた記録材料を剥離してプロセッサ部８２０へ送る。
【００７２】
【発明の効果】
前記したように、請求項１に記載の発明では、スクイズローラはスポンジのローラ部を有し、このローラ部は、円周部と、この円周部の両端側部とにコーティングを施したから、スクイズローラによるしごきや吸引力の圧力で経年劣化することを防止しでき、スクイズローラの耐久性が向上し、高画質の画像が得られる。
【００７３】
請求項２に記載の発明では、スクイズローラはスポンジのローラ部を有し、このローラ部は、円周部と、この円周部の両端側部とにコーティングを施したから、スクイズローラによるしごきや吸引力の圧力で経年劣化することを防止しでき、スクイズローラの耐久性が向上し、高画質の画像が得られる。
【００７４】
請求項３に記載の発明では、ローラ部はスポンジローラ素材を所定長さに切断し、この所定長さのスポンジローラ素材の軸孔を塞いで円周部と、この円周部の両端側部とにコーティングを施すことで、耐久性を有するローラ部を簡単に形成することができる。
【００７５】
請求項４に記載の発明では、ローラ部が複数の分割ローラ部を軸方向に合わせてなるものでも、スクイズローラによるしごきや吸引力の圧力で経年劣化することを防止しでき、スクイズローラの耐久性が向上し、高画質の画像が得られる。
【図面の簡単な説明】
【図１】カラープルーフ作成装置の正面図である。
【図２】カラープルーフ作成装置の側面図である。
【図３】スクイズローラの側面図である。
【図４】スクイズローラの断面図である。
【図５】スクイズローラの形成工程を示す図である。
【図６】スクイズローラの他の実施の形態の側面図である。こ
【図７】カラープルーフ作成装置の概略構成図である。
【図８】露光装置の概略構成を示す正面図である。
【図９】露光装置の概略構成を示す平面図である。
【符号の説明】
２０１  露光台
２７５  カバーシート
２７６  スクイズローラ
２７６ａ  支持軸
２７６ｂ  ローラ部
２７６ｂ１  円周部
２７６ｂ２  両端側部
２７６ｃ１，２７６ｃ２  コーティング
【図１】
2004271730.tif 000003
【図２】
2004271730.tif 000004
【図３】
2004271730.tif 000005
【図４】
2004271730.tif 000006
【図５】
2004271730.tif 000007
【図６】
2004271730.tif 000008
【図７】
2004271730.tif 000009
【図８】
2004271730.tif 000010
【図９】
2004271730.tif 000011